(57)【要約】ＣＲＴ（１０）は、エンベロープ内に配置された色選択の電極アセンブリを備える排気されたエンベロープと、色選択の電極アセンブリに固定された内部磁気シールド（ＩＭＳ）（３８）とを含み、設置レール（６０）と取り換え可能なゲッター部分からなる取り換え可能なゲッター取り付けアセンブリ（５４）を有する。設置レールは、ＩＭＳに付加された結合クリップ（６２）を備える第一部分（７８）と、設置レールから延在する第二部分（８０）とを有する。取り換え可能なゲッター部分は、そこに付加されたゲッター（５８）カップを備える設置レールから延在する第一端部（８１）と、設置レールの第二部分に取り外し式に付加された第二端部（８３）とを含む。取り換え可能なゲッター部分は、エンベロープ内でそこから蒸発したゲッター物質のフィルムを沈着するように設置レールから延在する。
2005524934.tif 000002
【特許請求の範囲】
【請求項１】
取り換え可能なゲッター取り付けアセンブリを有する陰極線管であって、該陰極線管は、該陰極線管の内面の発光スクリーンを備える前面パネルに対する一つの端部で密封されたフーネルを有してエンベロープを形成し、色選択の電極アセンブリは該スクリーンに近接して該エンベロープ内に位置し、内部磁気シールドは該色選択の電極アセンブリに固定され、該磁気シールドは該磁気シールドから間隔が離れて該フーネルの少なくとも一部分に沿って延在する外部の側面を有し、前記取り換え可能なゲッター取り付けアセンブリは、
前記内部磁気シールドに固定されている第一部分と該第一部分から延在する第二部分とを有する設置レールと、
前記第二部分に取り外し式に取り付け可能な設置部分を有し、ゲッターカップが該ゲッターカップから蒸発したゲッター物質のフィルムを沈着するように前記エンベロープ内に付加される端部まで延在する取り換え可能なゲッター部分と、
からなることを特徴とする陰極線管。
【請求項２】
前記取り付けアセンブリは、前記第二部分を受けるためのピラミッド状の導入部をさらに含むことを特徴とする請求項１に記載の陰極線管。
【請求項３】
前記設置レールの前記第二部分は、前記設置レールに対して前記ピラミッド状の導入部を取り外し式に固定するための小身を有することを特徴とする請求項２に記載の陰極線管。
【請求項４】
前記設置レールは、前記第一部分及び前記第二部分を接合する中心部分を有することを特徴とする請求項１に記載の陰極線管。
【請求項５】
前記設置レールは、前記内部磁気シールドに前記設置レールを固定するための前記第一部分から延在する結合クリップをさらに含むことを特徴とする請求項１に記載の陰極線管。
【請求項６】
取り換え可能なゲッター取り付けアセンブリを有する陰極線管であって、該陰極線管はエンベロープ内に配置された色選択の電極アセンブリを備える排気されたエンベロープと該色選択の電極アセンブリに固定された内部磁気シールドとを含み、は、該磁気シールドは該磁気シールドから間隔が離れてフーネルの少なくとも一部分に沿って延在する外部の側面を有し、前記取り換え可能なゲッター取り付けアセンブリは、
前記エンベロープ内に固定された設置レールと、第一端部及び第二端部からなる取り換え可能なゲッター部分とからなり、前記第二端部は前記設置レールに対して前記取り換え可能なゲッター部分を取り外し式に付加するための設置部分を含み、前記第一端部は前記設置レールから延在し、前記エンベロープ内で蒸発したゲッター物質のフィルムを沈着するために前記第一端部に付加されるゲッターカップを含む、
ことを特徴とする陰極線管。
【請求項７】
前記設置レールは、前記内部磁気シールドに前記設置レールを固定するための結合クリップをさらに含むことを特徴とする請求項６に記載の陰極線管。
【請求項８】
前記設置レールは、前記色選択の電極アセンブリに前記設置レールを固定するための結合クリップをさらに含むことを特徴とする請求項６に記載の陰極線管。
【請求項９】
前記取り換え可能なゲッター部分は、少なくとも一つの導入部を含む設置部分をさらに含み、前記設置レールは第一部分及び第二部分をさらに含み、前記第一部分は前記内部磁気シールドに固定されて、前記第二部分は該第一部分から延在し、前記導入部を受けるための小身を含み、前記エンベロープ内で前記取り換え可能なゲッター部分を取り外し式に固定することを特徴とする請求項６に記載の陰極線管。
【発明の詳細な説明】
【技術分野】
【０００１】
本発明は陰極線管（ＣＲＴｓ）に関し、より詳細には、陰極線管内にゲッターを取り換え可能に設置するためのアセンブリに関する。
【背景技術】
【０００２】
色陰極線管（ＣＲＴ）は、ガラスの前面パネルに位置する発光体の沈着を含有する発光スクリーンに３つの電子ビームを形成し導くための電子銃のマウントアセンブリを有する。形成されたマスク若しくはテンションマスクのいずれかを含むシャドーマスクのフレームアセンブリ（あるいは、色選択の電極として周知）は、電子銃のマウントアセンブリとスクリーンとの間に位置される。電子銃のマウントアセンブリから放射される電子ビームは、画像が前面パネルの見る表面に表示されるように、シャドーマスクのアパーチャを通過し、発光体の沈着に光を放射させるスクリーンを打つ。電子ビームの軌道に対する周囲の磁界の影響を削減するために、内部磁気シールド（ＩＭＳ）はシャドーマスクのフレームに固定される。
【０００３】
ＣＲＴは、密封したエンベロープ内で維持される真空内で操作する。エンベロープは、ＣＲＴの製造中に排気されて密封される。真空がエンベロープ内に密閉した様々な構成部分のガスを抜くことによりＣＲＴの有効寿命を下げることができるので、ゲッターは真空の低下を防ぐために製造中にエンベロープの内部に置かれる。典型的に、ゲッターは、ゲッターに隣接するＣＲＴフーネルの外側に近いＲＦコイルを置くことによってエンベロープが密封された後にフラッシュ（flash）又は蒸発されるゲッターカップ中の主にバリウム化合物を含む。活性化されたコイルからのＲＦエネルギーはゲッター物質を蒸発し、エンベロープ内の表面上にゲッター物質を沈着する。蒸発されたゲッター物質は吸収し、ＣＲＴに残存する気体分子を反応し、分子を取り除き、ＣＲＴの有効寿命にわたって、さらに如何なる自由なガスを吸収しつづける。
【０００４】
ゲッタースプリングに付加されたゲッターを含むゲッターアセンブリは、電子銃のマウントアセンブリの上部又はアノードカップに対して、頻繁に付加される。ゲッターは、ヨークによって生じた磁界でゲッターの如何なる干渉を最小限にするために、ヨーク領域外に位置づけされる。このゲッターアセンブリの形態は、アンテナのゲッタースプリングアセンブリと呼ばれる。この形態は、比較的遅い速度（１Ｈ）で操作する偏向ヨークを有するＣＲＴに対して、特に適用可能である。ＣＲＴが採用するより高速走査のヨーク（２Ｈ又はより高速）において、ゲッターアセンブリがより高速走査のヨークでヨークの磁界を歪ませる傾向が高いので、ヨークからさらに離れて位置づけされるゲッタースプリングアセンブリを有することがさらに望ましい。結果として、幾つかのＣＲＴの製造者は、ＣＲＴエンベロープ内のスクリーンに対してさらに向かい、ゲッターを位置する。この場合、ゲッターは、シャドーマスクのフレーム又はＩＭＳの内側に付加される。
【０００５】
ＣＲＴ産業において、完成したＣＲＴの電子銃のマウントアセンブリを交換することが時々必要に感じられ、ゲッターはすでにフラッシュされている。取り換えられたマウントアセンブリを備えるＣＲＴは、リネック管（re-necked tube）と呼ばれる。アンテナのゲッタースプリングアセンブリが利用できない場合（例えば、より高速走査のヨークを備えるシステムで）、取り換えのゲッタースプリングアセンブリは、容易に取り換えされず、マスク又はオープンエンベロープのＩＭＳに付加されない。
【発明の開示】
【発明が解決しようとする課題】
【０００６】
したがって、ＣＲＴの有効寿命は維持されたままで、ＣＲＴ内でゲッターが容易に取り換えられる、ゲッターアセンブリを開発することが望ましい。そのような取り換え可能なゲッターアセンブリは、製造費用を削減し、リネック管の製造効率を高める。
【課題を解決するための手段】
【０００７】
本発明は、陰極線管内のゲッターを取り換え可能で固定するための取り換え可能なゲッター取り付けアセンブリを有する陰極線管（ＣＲＴ）に関する。ＣＲＴは、その内面の発光スクリーンを備える前面パネルに対して一つの端部で密封されたフーネルと、エンベロープ内に配置し、スクリーンに近接する色選択の電極アセンブリと、色選択の電極アセンブリに固定された内部磁気シールド（ＩＭＳ）とを含む。ゲッター取り付けアセンブリは、設置レールと、取り換え可能なゲッター部分とを含む。設置レールは、内部磁気シールドに対して設置レールを付加するための結合クリップを有する第一部分と、及び第一部分から延在する第二部分とを含む。取り換え可能なゲッター部分は、設置レールの第二部分に取り外し式に付加され、設置レールからエンベロープ内の蒸発したゲッター物質のフィルムを沈着するためのゲッターが付加される末端まで延在する。
【発明を実施するための最良の形態】
【０００８】
図１は、円筒状のネック１４とフーネル１６の小さい端部から延在するヨーク１５を含む排気されたガラスエンベロープ１２を有する陰極線管（ＣＲＴ）１０を示す。フーネル１６の大きな端部は、フリット・シール・ライン２０で全体に連結される、前面パネル１８によって閉じられる。発光体スクリーン２２は、前面パネル１８の内面に配置される。発光体スクリーン２２は、３つの電子ビームによって衝突される場合に光の主要な３色の一つを各々が放射する、発光体素子から構成される。エンベロープ１２は、前面パネル１８、フーネル１６及びネック部分１４を通過する、中心の縦の管のＺ軸を有する。管は、縦のＺ軸に対して垂直な平面を有し、２つの直交する軸を含み、それらは、より広い規模（通常は水平）に平行な主軸Ｘと、より狭い規模（通常は垂直）に平行な主軸Ｙとである。
【０００９】
アパーチャの色選択の電極又はシャドーマスク２６を含むマスクフレームアセンブリ２４は、周辺フレーム２８に付加される。マスクフレームアセンブリ２４は、スプリング３０によって前面パネル１８内に取り外し式に設置され、発光体スクリーン２２に関して所定の間隔で中心の縦の軸Ｚに対してほぼ垂直である。シャドーマスク２６は、発光体スクリーン２２から間隔が離れており、光の適切な色を放射する発光体に３つの電子ビームを導くように使用される。電子銃のマウントアセンブリ３２（図１に概略して示される）は、ネック１４内で中心に設置され、スクリーン２２へのシャドーマスク２６を通過するコンバージェントパスに沿う、中心ビーム及び２つのサイドビーム又はアウタービームである、３つのインラインの電子ビームを生じ導く。ネック部分１４の末端部は、電子銃のマウントアセンブリ３２が支持され、電気接続が電子銃のマウントアセンブリ３２の様々な要素に成される、ターミナルピン又は導入３６を有するステム３４によって閉じられる。
【００１０】
図１及び２に示されるように、内部磁気シールド（ＩＭＳ）３８は、フーネル１６内に位置し、溶接又はピン留めによる周辺のフレーム２８にＬ型フランジ４０を付加することによって、マスクフレームアセンブリ２４の背部にしっかりと固定される。ＩＭＳ３８は、一般的に、側壁４２を有する先を切られたピラミッド状の形状を有する。ＩＭＳ３８は、前面パネル１８の周辺に配置される正面の開口端部４４と、前面パネル１８から遠隔で配置され、電子銃のマウントアセンブリ３２に面する背部の開口端部４６とを有する。背部の開口端部４６は、ＩＭＳ３８内への電子ビームの入射を可能にし、Ｚ軸に向かう側壁４２から内部へ延在するリッジ４８によって定義される。リッジ４８は、下記に記載されるように蒸発可能であるか、又はフラッシュ可能なゲッター５８を有する、ゲッター取り付けアセンブリ５４を受ける開口５２を備えて形成される。三角形のアパーチャ５１は、それが使用されている場合に特定の管のためのＩＭＳ３８の特性を形作る磁界を合わせるために使用される。
【００１１】
図２を参照するに、ＩＭＳ３８の側壁４２により形成される複数のアパーチャ５０を示すＺ軸の方向の背部からの平面図である。明瞭さのために、フーネル１６及び電子銃のマウントアセンブリ３２は示されていない。アパーチャ５０の位置及びサイズは、リッジ４８の外周からフレーム２８に向かって対称的に延在するように示され、背部の開口端部４６に面するアパーチャの側面でより幅広い、アパーチャ５０の幅を備える主軸Ｘに沿って中心とされる。アパーチャ５０は、ゲッター５８からの気体吸収物質のフィルム又は沈着、つまり、フラッシュされたゲッター物質をＩＭＳ３８の側壁４２を通過させ、ＣＲＴ１０の側壁及びＩＭＳ３８内に入れる。側壁４２の外部の側面に沈着した、フラッシュされたゲッター物質が最小限にされ、沈着したゲッター物質がＣＲＴ１０内の最大の表面積に到達するために分散するように、アパーチャ５０は好ましくサイズ化される。
【００１２】
ゲッター取り付けアセンブリ５４は図３に示されるように設置レール６０と、図４及び５に示されるような取り換え可能なゲッター部分７０を含む。設置レール６０は、第一部分７８に隣接して実質的に位置する、第一部分７８と第二部分８０を有する。中心部分７２は、第二部分８０を第一部分７８に結合する。第一部分７８は、中心の部分７２から端部７１に延在する、外面７４及び内面７６を有する。第一部分７８の外面７４は、結合クリップ６２のような弾力性の固定要素を含む。結合クリップ６２は、実質的なＶ字型部分６４と、ショルダー６６と、突出した角を提供するように形成されたつかみ部分６８とを有する。結合クリップ６２がある形態で記載されるが、他の幾何学的な形態が同様の結果を得るように使用されてよいことは、当業者によって理解されるべきである。中心部分７２は、第一部分７８に対して実質的に垂直であり、第二部分８０を第一部分７８に接合する。第二部分８０は、停止する端部７９を有する。小身（tang）９０は、第二部分８０の内面１００に形成される。図４及び５に示されるように、取り換え可能なゲッター部分７０は、ゲッター５８と、そこに付加された、第一及び第二のピラミッド状の導入部８７、８９とを有する設置部分を含む。設置部分８５は、第一側面７３と、第二側面７５と、第一及び第二端部８１、８３をそれぞれ有する。ゲッター５８は、第一端部８１の近くに付加される。ゲッター５８は、気体吸収物質（示されていない）を含む、閉じた基部９９を備える金属カップ９３を含む。閉じた基部９９は、第一端部８１に隣接して位置づけされるスタンドオフ部分８２と、カップ９３の取り付けにおいて第一側面７３にわたって延在する、突出する部分８４とを有する。第二端部８３に向かって移動し続ける、設置部分８５は、第一側面７３に向かうオフセット７７を作成するように形成される。次いで、設置部分８５は、第二端部８３まで延在する、実質的に平らな部分８６を形成する。
【００１３】
図５に示されるように、第一及び第二のピラミッド状の導入部８７、８９は、平らな部分８６の第一側面７３に付加される。ピラミッド状の導入部８７、８９の各々は、受け取り部分９８と、保持部分９６と、取り付けストリップ９４とを有する。各導入部８７、８９は、実質的にピラミッド形状を形成するように連続した部分の第一セグメント９７及び第二セグメント９５を一点に集めることによって形成される。導入部８７、８９がピラミッド形状を有するようにここに記載され、同一の係止及び固定機能を達成する他の幾何学的形態が本発明の範囲内であることは理解されるべきである。受け取り部分９８は保持部分９６よりも広く、取り付けストリップ９４は保持部分９６から延在する。取り付けストリップ９４の底部は、スポット溶接９１によって設置部分８５の第一側面７３に付加される。
【００１４】
ＩＭＳ３８に対する設置レール６０の取り付けは、図１及び２を参照して、より詳細に記載される。設置レール６０の第一部分７８はＩＭＳ３８に付加され、設置レール６０の中心部分７２は、ＩＭＳ３８とフーネル１６との間で第一部分７８に実質的に隣接して位置づけされる。第一部分７８の外面７４上の結合クリップ６２は、ＩＭＳ３８のリッジ４８により設けられる開口部５２に挿入される。クリップ６２のショルダー６６は、ＩＭＳ３８のリッジ４８の下側に接触し、つかみ部分６８はノッチ６５のエッジ及びＩＭＳ３８のリッジ４８に接触する。結合クリップ６２は、開口５２内のクリップ６２を保持するようにＶ字型部分６４及びつかみ部分６８の弾性力による結合力を提供する。設置レール６０の第二部分８０はＩＭＳから延在し、ＩＭＳの外側とフーネル１６の内面との間に位置づけされ、取り換え可能なゲッター部分７０を受ける。取り換え可能なゲッター部分７０が設置レール６０の第二部分８０に付加される場合、ゲッター５８がアパーチャ５０で位置するように、内面１００に形成された小身９０は、適所で取り付け可能なゲッター部分７０を保持する。
【００１５】
設置レール６０に対する取り換え可能なゲッター部分７０の取り付けは、より詳細に記載される。取り換え可能なゲッター部分７０の取り外しが実質的に同じ手法で達成されてよいことが当業者によって認識される。取り換え可能なゲッター部分７０は、トリガー解除を有する従来のツールに対して取り外し式に取り付けされる。ツールは、ＣＲＴ１０の開口のネック部分１４により、最初に取り換え可能なゲッター部分７０、ゲッター５８を挿入する。ツールは、ＩＭＳ３８とフーネル１６との間の取り換え可能なゲッター部分７０を導く。ゲッター５８は、設置レール６０の第二部分８０を越える。第一のピラミッド状の導入部８７の受け取り部分９８は、第二部分８０の停止末端７９を受ける。次いで、第二部分８０の停止端部７９は、第一のピラミッド状の導入部８７の保持部分９６で受ける。次いで、第二のピラミッド状の導入部８９の受け取り部分９８は、第二部分８０の停止末端７９を受ける。次いで、第二部分８０の停止端部７９は、第二のピラミッド状の導入部８９の保持部分９６で受ける。次いで、ツールは取り換え可能なゲッター部分７０を開放し、ＣＲＴ１０の内側から取り外される。取り換え可能なゲッター部分７０が挿入される場合、ピラミッド状の導入部８７、８９は、第二部分に沿って取り換え可能なゲッター部分７０を摺動させ、小身９０を少なくとも一つのピラミッド状の導入部を通過させ、それと共に嵌合されるように設置部分８５に向かって内側に固定されることを注意するべきである。一旦、ピラミッド状の導入部の少なくとも一つが小身９０を通過されて押されると、もし取り換え可能なゲッター部分７０が取り外されなければ、取り換え可能なゲッター部分７０は抜けない。
【００１６】
取り換え可能なゲッター部分７０の挿入の結果として、設置部分８５の第一側面７３は設置レール６０の第二部分８０の外面１０１に隣接して位置づけされ、導入部８７、８９は第二部分８０の内面１００に隣接して位置づけされる。第一のピラミッド状の導入部８７の保持部分９６は、小身９０に隣接して位置づけされ、設置レール６０の中心部分７２に近い。小身９０は、ＣＲＴの有効寿命において適所で取り換え可能なゲッター部分７０を開放可能に保持する。
【００１７】
有利に、電子銃がテスト中に失敗する場合、電子銃は交換することが可能で、本発明のゲッター構成部分はネック１４に新たなマウントアセンブリ３２を再密封し、ＣＲＴ１０の再排気前にゲッター置換を可能にする。
【図面の簡単な説明】
【００１８】
【図１】ＣＲＴ内にインストールされたゲッター取り付けアセンブリを備えるＣＲＴの断面図である。
【図２】ＩＭＳと、ＩＭＳに固定されたゲッター取り付けアセンブリを示す前面パネルの平面図である。
【図３】補助の設置レールの側面図である。
【図４】取り換え可能なゲッター部分の上面図である。
【図５】取り換え可能なゲッター部分の側面図である。
【図１】
2005524934.tif 000003
【図２】
2005524934.tif 000004
【図３】
2005524934.tif 000005
【図４】
2005524934.tif 000006
【図５】
2005524934.tif 000007
【国際調査報告】
2005524934.tif 000008
2005524934.tif 000009
2005524934.tif 000010